(57)【特許請求の範囲】
【請求項１】
撮影した動画をファイルに記録する動画撮影可能なデジタルカメラにおいて、
単独記録モード又は連続記録モードを設定する記録モード設定手段と、
前記記録モード設定手段によって単独記録モードが設定されると、撮影した動画を新規に作成したファイルに記録し、前記記録モード設定手段によって連続記録モードが設定されると、撮影した動画を動画が記録されている既存のファイルに追加記録する記録手段と、を備え、
動画撮影時の記録条件を設定する設定手段を有し、前記記録モード設定手段によって連続記録モードが設定されると、動画が追加記録される既存のファイルに記録されている動画撮影時の記録条件を自動的に設定し、前記設定手段による設定を禁止することを特徴とするデジタルカメラ。
【請求項２】
前記記録条件は、画質、画素数及びフレームレートのうちの少なくとも１つである請求項１のデジタルカメラ。
【請求項３】
撮影した動画をファイルに記録する動画撮影可能なデジタルカメラにおいて、
単独記録モード又は連続記録モードを設定する記録モード設定手段と、
前記記録モード設定手段によって単独記録モードが設定されると、撮影した動画を新規に作成したファイルに記録し、前記記録モード設定手段によって連続記録モードが設定されると、撮影した動画を動画が記録されている既存のファイルに追加記録する記録手段と、を備え、
被写体からの情報に基づいてホワイトバランス補正値を求める手段と、動画撮影時に現在のホワイトバランス補正値から前記求めたホワイトバランス補正値に徐々に収束するようにホワイトバランス補正値を変化させてホワイトバランス補正を行う手段と、動作撮影終了時点に使用されていたホワイトバランス補正値を記憶する記憶手段とを有し、
前記記録モード設定手段によって連続記録モードが設定されると、動画撮影開始時のホワイトバランス補正値として前記記憶手段に記憶されたホワイトバランス補正値を使用することを特徴とするデジタルカメラ。
【請求項４】
前記既存のファイルを選択するファイル選択手段を有し、前記記録手段は、前記記録モード設定手段によって連続記録モードが設定されると、前記ファイル選択手段によって既存のファイルが選択されている場合にはその選択された既存のファイルに撮影した動画を追加記録し、前記ファイル選択手段によって既存のファイルが選択されていない場合には最新の動画が記録されている既存のファイルに撮影した動画を追加記録することを特徴とする請求項１乃至３のいずれかに記載のデジタルカメラ。
【請求項５】
前記単独記録モードで動画が記録されたファイルと、前記連続記録モードで動画が記録されたファイルとを含むファイルが格納された記録媒体から複数のファイルを選択し、該複数のファイルに対応する複数コマからなるインデックス画像の表示を指令するインデックス表示指令手段と、
前記インデックス表示指令手段によってインデックス画像の表示が指令されると、前記記録媒体に格納された複数のファイルに基づいて前記インデックス画像を構成し、該インデックス画像を画像モニタに表示させる表示制御手段であって、前記インデックス画像を構成する複数コマのうち単独記録モードで記録された動画に対応するコマと、連続記録モードで記録された動画に対応するコマとを表示形態を異ならせて表示させる表示制御手段と、
を備えたことを特徴とする請求項１乃至４のいずれかに記載のデジタルカメラ。
【請求項６】
前記単独記録モードで動画が記録されたファイルと、前記連続記録モードで動画が記録されたファイルとを含むファイルが格納された記録媒体から任意のファイルを選択する選択手段と、
前記選択手段によって選択されたファイルに単独記録モードで動画が記録されている場合と連続記録モードで動画が記録されている場合とに応じて、その動画の１コマを画像モニタに表示させる際の表示形態と異ならせて表示させる表示制御手段と、
を備えたことを特徴とする請求項１乃至４のいずれかに記載のデジタルカメラ。
【請求項７】
前記記録媒体に静止画が記録されたファイルが含まれている場合には、前記表示制御手段は、前記単独記録モード及び連続記録モードで記録された動画に対応するコマを静止画の表示形態と異ならせて表示させることを特徴とする請求項５又は６のデジタルカメラ。
【発明の詳細な説明】
【０００１】
【発明の属する技術分野】
本発明はデジタルカメラに係り、特に撮影した動画をファイルに記録する動画撮影可能なデジタルカメラに関する。
【０００２】
【従来の技術】
従来から静止画の他に動画も撮影できるデジタルカメラは知られており、例えば、三洋電気製のdsc-SX550 がある。このカメラは、撮影済の複数の動画データを連結する機能がある。
【０００３】
一方、動画を磁気テープに記録するビデオカメラは、磁気テープを交換しない限り、撮影順に１つの磁気テープに動画を連続的に記録できるようになっている。
【０００４】
【発明が解決しようとする課題】
しかしながら、ビデオカメラは、撮影日時、場所、シチュエーションなどが異なる、いろいろなジャンルの動画データが撮影順に１つの磁気テープに連続的に記録されるため、検索性が悪いという問題があり、また、いろいろなジャンルごとに磁気テープを交換して撮影するのは煩雑であるという問題がある。
【０００５】
一方、動画撮影可能なデジタルカメラによって撮影された動画データは、撮影毎に新しいファイルに記録されるとともに、各動画にはインデックス表示用のサムネイルなどが付いている。従って、インデックス表示されたサムネイルから動画を選び、その動画を再生することができるが、動画撮影毎に新たなファイルが作成されているため、ファイル数が膨大となり、サムネイルから見たいファイルを探すのに苦労する。
【０００６】
これに対し、複数の動画データを連結する機能を有するデジタルカメラの場合、複数のファイルを連結してファイルをまとめることができるが、多くのファイルを連結する場合の操作が煩雑になるという問題がある。また、通常、動画データは時間順につなげたいが、操作ミス等により時間順にならず、不自然な連結がなされるおそれもある。
【０００７】
本発明はこのような事情に鑑みてなされたもので、同じ場所、シチュエーションなどで繰り返し動画を撮影する場合などに、これらの動画を一つのファイルに容易にまとめて記録することができ、また、動画のつなぎ目も違和感なく連結することができるデジタルカメラを提供することを目的とする。
【０００８】
【課題を解決するための手段】
前記目的を達成するために、本願請求項１に係る発明は、撮影した動画をファイルに記録する動画撮影可能なデジタルカメラにおいて、単独記録モード又は連続記録モードを設定する記録モード設定手段と、前記記録モード設定手段によって単独記録モードが設定されると、撮影した動画を新規に作成したファイルに記録し、前記記録モード設定手段によって連続記録モードが設定されると、撮影した動画を動画が記録されている既存のファイルに追加記録する記録手段とを備え、動画撮影時の記録条件を設定する設定手段を有し、前記記録モード設定手段によって連続記録モードが設定されると、動画が追加記録される既存のファイルに記録されている動画撮影時の記録条件を自動的に設定し、前記設定手段による設定を禁止することを特徴としている。
【０００９】
即ち、連続記録モードが設定されると、その後に撮影された動画は、既存のファイルに追加記録されることになる。従って、例えば、繰り返し動画を撮影する場合には、これらの動画を一つのファイルに容易にまとめて記録することができ、しかも撮影順に動画をつなげることができる。
【００１０】
前記記録条件は、本願請求項２に示すように画質、画素数及びフレームレートのうちの少なくとも１つである。これにより、連結される各動画の画質等が統一され、違和感なく動画を連結することができる。
【００１１】
前記目的を達成するために、本願請求項３に係る発明は、撮影した動画をファイルに記録する動画撮影可能なデジタルカメラにおいて、単独記録モード又は連続記録モードを設定する記録モード設定手段と、前記記録モード設定手段によって単独記録モードが設定されると、撮影した動画を新規に作成したファイルに記録し、前記記録モード設定手段によって連続記録モードが設定されると、撮影した動画を動画が記録されている既存のファイルに追加記録する記録手段とを備え、被写体からの情報に基づいてホワイトバランス補正値を求める手段と、動画撮影時に現在のホワイトバランス補正値から前記求めたホワイトバランス補正値に徐々に収束するようにホワイトバランス補正値を変化させてホワイトバランス補正を行う手段と、動作撮影終了時点に使用されていたホワイトバランス補正値を記憶する記憶手段とを有し、前記記録モード設定手段によって連続記録モードが設定されると、動画撮影開始時のホワイトバランス補正値として前記記憶手段に記憶されたホワイトバランス補正値を使用することを特徴としている。
【００１２】
本願請求項４に係るデジタルカメラは、前記既存のファイルを選択するファイル選択手段を有し、前記記録手段は、前記記録モード設定手段によって連続記録モードが設定されると、前記ファイル選択手段によって既存のファイルが選択されている場合にはその選択された既存のファイルに撮影した動画を追加記録し、前記ファイル選択手段によって既存のファイルが選択されていない場合には最新の動画が記録されている既存のファイルに撮影した動画を追加記録することを特徴としている。これによれば、動画を追加記録するファイルを任意に選択することができる。また、追加記録するファイルを選択しない場合には、最新の動画が記録されたファイルが自動的に選択されることになる。
【００１３】
本願請求項５に係るデジタルカメラは、更に前記単独記録モードで動画が記録されたファイルと、前記連続記録モードで動画が記録されたファイルとを含むファイルが格納された記録媒体から複数のファイルを選択し、該複数のファイルに対応する複数コマからなるインデックス画像の表示を指令するインデックス表示指令手段と、前記インデックス表示指令手段によってインデックス画像の表示が指令されると、前記記録媒体に格納された複数のファイルに基づいて前記インデックス画像を構成し、該インデックス画像を画像モニタに表示させる表示制御手段であって、前記インデックス画像を構成する複数コマのうち単独記録モードで記録された動画に対応するコマと、連続記録モードで記録された動画に対応するコマとを表示形態を異ならせて表示させる表示制御手段と、を備えたことを特徴としている。即ち、インデックス画像を表示する際に、単独記録モードで記録された動画と、連続記録モードで記録された動画とを区別して表示することができるようにしている。
【００１４】
本願請求項６に係るデジタルカメラは、前記単独記録モードで動画が記録されたファイルと、前記連続記録モードで動画が記録されたファイルとを含むファイルが格納された記録媒体から任意のファイルを選択する選択手段と、前記選択手段によって選択されたファイルに単独記録モードで動画が記録されている場合と連続記録モードで動画が記録されている場合とに応じて、その動画の１コマを画像モニタに表示させる際の表示形態と異ならせて表示させる表示制御手段と、を備えたことを特徴としている。即ち、動画の１コマ表示を行う場合にも、単独記録モードで記録された動画と、連続記録モードで記録された動画とを区別して表示することができるようにしている。
【００１５】
前記記録媒体に静止画が記録されたファイルが含まれている場合には、前記表示制御手段は、本願請求項７に示すように前記単独記録モード及び連続記録モードで記録された動画に対応するコマを静止画の表示形態と異ならせて表示させることを特徴としている。
【００１６】
【発明の実施の形態】
以下添付図面に従って本発明に係るデジタルカメラの好ましい実施の形態について詳説する。
【００１７】
図１は本発明に係るデジタルカメラの背面図であり、図２はカメラ上面に設けられたモード設定ダイヤルの平面図である。
【００１８】
図２に示すようにモード設定ダイヤル１は、撮影モード時に静止画を撮影する静止画撮影モード、動画を撮影する単独記録モード、又は動画を撮影する連続記録モード等を設定するもので、設定するモードに応じてダイヤル上のマークＭが上記各モードを示すアイコンＡ、Ｂ、又はＣに合うように回転操作される。尚、前記単独記録モードは、撮影した動画を新規に作成したファイルに記録するモードをいい、連続記録モードは、本発明の特徴とする新規のモードで、撮影した動画を動画が記録されている既存のファイルに追加記録するモードをいう。
【００１９】
図２は上記モード設定ダイヤル１によって連続記録モードが設定されている場合に関して示している。また、モード設定ダイヤル１の中央には、半押し時にＯＮするスイッチＳ１と、全押し時にＯＮするスイッチＳ２とを有するシャッタボタン２が設けられている。
【００２０】
このデジタルカメラの背面には、図１に示すようにファインダ接眼部３、シフトキー４、表示キー５、撮影モード／再生モード切替えレバー６、キャンセルキー７、実行キー８、マルチファンクションの十字キー９、及び液晶モニタ５２が設けられている。
【００２１】
図３は図１に示したデジタルカメラの内部構成を示すブロック図である。
【００２２】
同図において、撮影レンズ１０及び絞り１２を介して固体撮像素子（ＣＣＤ）１４の受光面に結像された被写体像は、各センサで光の入射光量に応じた量の信号電荷に変換される。このようにして蓄積された信号電荷は、ＣＣＤ駆動回路１６から加えられるリードゲートパルスによってシフトレジスタに読み出され、レジスタ転送パルスによって信号電荷に応じた電圧信号として順次読み出される。尚、このＣＣＤ１４は、蓄積した信号電荷をシャッタゲートパルスによって掃き出すことができ、これにより電荷の蓄積時間（シャッタスピード）を制御する、いわゆる電子シャッタ機能を有している。
【００２３】
ＣＣＤ１４から順次読み出された電圧信号は、相関二重サンプリング回路（ＣＤＳ回路）１８に加えられ、ここで各画素ごとのＲ、Ｇ、Ｂ信号がサンプリングホールドされ、Ａ／Ｄ変換器２０に加えられる。Ａ／Ｄ変換器２０は、ＣＤＳ回路１８から順次加えられるＲ、Ｇ、Ｂ信号をデジタルのＲ、Ｇ、Ｂ信号に変換して出力する。尚、ＣＣＤ駆動回路１６、ＣＤＳ回路１８及びＡ／Ｄ変換器２０は、タイミング発生回路２２から加えられるタイミング信号によって同期して駆動されるようになっている。
【００２４】
前記Ａ／Ｄ変換器１８から出力されたＲ、Ｇ、Ｂ信号は、一旦メモリ２４に格納され、その後、メモリ２４に格納されたＲ、Ｇ、Ｂ信号は、デジタル信号処理回路２６に加えられる。デジタル信号処理回路２６は、同時化回路２８、ホワイトバランス調整回路３０、ガンマ補正回路３２、ＹＣ信号作成回路３４、及びメモリ３６等から構成されている。
【００２５】
同時化回路２８は、メモリ２４から読み出された点順次のＲ、Ｇ、Ｂ信号を同時式に変換し、Ｒ、Ｇ、Ｂ信号を同時にホワイトバランス調整回路３０に出力する。ホワイトバランス調整回路３０は、Ｒ、Ｇ、Ｂ信号のデジタル値をそれぞれ増減するための乗算器３０Ｒ、３０Ｇ、３０Ｂから構成されており、Ｒ、Ｇ、Ｂ信号は、それぞれ乗算器３０Ｒ、３０Ｇ、３０Ｂに加えられる。乗算器３０Ｒ、３０Ｇ、３０Ｂの他の入力には、中央処理装置（ＣＰＵ）３８からホワイトバランス制御するためのホワイトバランス補正値（ゲイン値）が加えられており、乗算器３０Ｒ、３０Ｇ、３０Ｂはそれぞれ２入力を乗算し、この乗算によってホワイトバランス調整されたＲ’、Ｇ’、Ｂ’信号をガンマ補正回路３２に出力する。尚、ＣＰＵ３８からホワイトバランス調整回路３０に加えられるホワイトバランス補正値の詳細については後述する。
【００２６】
ガンマ補正回路３２は、ホワイトバランス調整されたＲ’、Ｇ’、Ｂ’信号が所望のガンマ特性となるように入出力特性を変更し、ＹＣ信号作成回路３４に出力する。ＹＣ信号作成回路３４は、ガンマ補正されたＲ、Ｇ、Ｂ信号から輝度信号Ｙとクロマ信号Ｃｒ、Ｃｂとを作成する。これらの輝度信号Ｙとクロマ信号Ｃｒ、Ｃｂ（ＹＣ信号）は、メモリ２４と同じメモリ空間のメモリ３６に格納される。
【００２７】
撮影時にメモリ３６に格納されたＹＣ信号は、圧縮／伸長回路５４に加えられる。圧縮／伸長回路５４の他の入力には、ＣＰＵ３８から予め設定された画質（ノーマル、ファイン等の圧縮率）を示す情報が加えられており、圧縮／伸長回路５４は、前記ＹＣ信号を設定された画質の圧縮率で圧縮する。JPEGアルゴリズムでは、ＹＣ信号を８×８画素のブロックに分割し、各ブロックのデータを離散コサイン変換した後、圧縮率ごとに準備されている量子化テーブルで除算する。更に、量子化されたデータをハフマンテーブルで符号化する。このようにして符号化されたデータは、記録部５６にてスマートメディア、コンパクトフラッシュなどのメモリカードや、ＣＤＲ、ＤＶＤＲなどの円盤状の光磁気ディスクなどの記録媒体に記録される。
【００２８】
ＣＰＵ３８は、図１に示したモード設定ダイヤル１、シャッタボタン２等を含むカメラ操作部４０からの入力に基づいて各回路を統括制御するとともに、オートフォーカス、自動露光制御、オートホワイトバランス等の制御を行う。このオートフォーカス制御は、例えばＧ信号の高周波成分が最大になるように撮影レンズ１０を移動させるコントラストＡＦであり、シャッタボタン２の半押し時にＧ信号の高周波成分が最大になるように駆動部４２を介して撮影レンズ１０を合焦位置に移動させる。
【００２９】
また、自動露光制御は、Ｒ、Ｇ、Ｂ信号を取り込み、これらのＲ、Ｇ、Ｂ信号を積算した積算値に基づいて被写体輝度（撮影ＥＶ値）を求め、この撮影ＥＶ値に基づいて撮影時の絞り値とシャッタスピードを決定する。そして、静止画撮影モード時には、シャッタボタンの全押し時に前記決定した絞り値になるように絞り駆動部４４を介して絞り１２を駆動し、また、決定したシャッタスピードとなるように電子シャッタによって電荷の蓄積時間を制御して１コマ分の画像データを取り込み、所要の信号処理をした後、記録媒体に記録する。
【００３０】
次に、モード設定ダイヤル１によって単独記録モード又は連続記録モードを設定し、動画を撮影する場合について説明する。
【００３１】
この場合、シャッタボタン２をワンプッシュすると、動画の撮影がスタートし、例えば、１秒間に３０コマのフレームレートで画像データがメモリ２４に取り込まれ、シャッタボタン２を再度ワンプッシュすると、動画の撮影が終了する。尚、シャッタボタン２を再度ワンプッシュしない場合でもメモリ２４の容量が一杯になると、自動的に動画の撮影が終了する。
【００３２】
動画の撮影が終了すると、続いて前記メモリ２４に一時記憶された画像データの信号処理や圧縮処理等が行われ、所定のファイル形式で記録媒体に記録される。
【００３３】
図４は動画が記録されるMotion JPEG(AVI)ファイルの構造を示す。
【００３４】
同図において、RIFF AVIには、ファイル全長のサイズ（何バイトか）、フレーム数、フレームレートなどが記録される。LIST movi の各Record chunk 0、1 、2 …には、音声又は画像(jpeg)のデータが記録される。ここで、フレームレートが３０コマ／秒とすると、音声データは１秒分なので、音声データの次に３０コマ分の画像データが連続して記録され、１秒分の動画のデータとなる。このようにして音声及び画像のデータが撮影された秒数だけ繰り返し記録される。また、LIST movi には、全Record chunkに記録されたデータのサイズが記録される。
【００３５】
IDX1のAVI Entry には、上記各Record chunkにおける画像データ／音声データの区別をするデータ種別、データまでのオフセット量、データの長さなどが記録される。また、IDX1には、全AVI Entry に記録されたデータのサイズが記録される。
【００３６】
さて、モード設定ダイヤル１によって本発明に係る連続記録モードが設定されたのち、シャッタボタン２を操作して動画が撮影されると、その撮影によって得た動画の画像データ及び音声データは、動画が記録されている既存のAVI ファイルに追加記録される。
【００３７】
即ち、既存のAVI ファイルに動画の画像データ及び音声データ追加記録する際には、図４に示すようにRIFF AVIにおけるファイル全長のサイズ、フレーム数を更新する。また、LIST movi の最終のRecord chunkに続いて新たな音声／画像のRecord chunkを追加するとともに、ファイルサイズを更新し、更にIDX1の最終のAVI Entry に続いて新たなAVI Entry を追加するとともに、ファイルサイズを更新する。
【００３８】
上記のように連続記録モードが設定されると、その後に撮影された動画は、既存のファイルに追加記録されることになる。従って、連続記録モードで繰り返し動画を撮影すると、これらの動画は一つのファイルにまとめて記録される。
【００３９】
次に、連続記録モードが設定された場合のホワイトバランス制御について説明する。
【００４０】
図５に示すようにムービー動作時には、１Ｖ周期のクロックごとに以下の処理を行う。最初の１Ｖ期間で露光を行い、次のクロックで画像の読み出しを開始し、Ｒ、Ｇ、Ｂ信号としてメモリ２４に格納するとともに、１画面を複数のエリア（８×８）に分割する各分割エリアごとにＲ、Ｇ、Ｂ信号の色別の平均積算値を求める。次のクロックでは積算値の読み出しを行い、これらのＲ、Ｇ、Ｂ信号の積算値に基づいて被写体輝度（撮影ＥＶ値）を求め、更に次のクロックで前記撮影ＥＶ値に基づいて撮影時の絞り値（ＡＥ）などのシャッタのセットを行う。
【００４１】
上記のようにＡＥの動作は、４クロックをセットにして動作が完了する。この間、露光、画像の読み出しはどのクロックでも行われる。
【００４２】
尚、初めの露光は予め決められた露光値で行われる。また、前記各分割エリアごとのＲ、Ｇ、Ｂ信号の平均積算値は、図３の積算回路４８によって算出され、ＣＰＵ３８に加えられている。積算回路４８とＣＰＵ３８との間には乗算器５０Ｒ、５０Ｇ、５０Ｂが設けられており、乗算器５０Ｒ、５０Ｇ、５０Ｂには、機器のバラツキを調整するための調整ゲイン値が加えられるようになっている。
【００４３】
一方、ホワイトバランス制御は、徐々に変化することが望ましいので、ＡＥ程頻繁に制御は行わない。例えば、１秒に１回程度の割合でホワイトバランス補正を行う。
【００４４】
オートホワイトバランス制御は、フィードフォワードで行う。まず、デーライト（晴れ）、日陰−曇り、蛍光灯、タングステン電球等の光源種の判別を行う。この光源種の判別は、分割エリアごとにＲ、Ｇ、Ｂ信号の色別の平均積算値の比Ｒ／Ｇ、Ｂ／Ｇを求め、一方、横軸をＲ／Ｇ、縦軸をＢ／Ｇとするグラフ上で、各光源種に対応する色分布の範囲を示す検出枠を設定する。そして、前記求めた各エリアごとの比Ｒ／Ｇ、Ｂ／Ｇに基づいて前記検出枠に入るエリアの個数を求め、被写体の輝度レベル及び検出枠に入るエリアの個数に基づいて光源種を判別するようにしている（特開2000-224608 参照) 。
【００４５】
このようにして光源種が判別されると、その判別された光源種に適した所定のホワイトバランス補正値が補正の目標値となるように補正量を算出して補正を行う。尚、ホワイトバランス補正値の求め方は、これに限定されない。
【００４６】
ホワイトバランス補正のためのＲ、Ｂのゲイン値は、図６に示すように現在の補正値をＰ、前記目標値をＱとすると、現在の補正値Ｐを一度に目標値Ｑにするのではなく、徐々に目標値Ｑに収束するように何度かに分けて補正する。
【００４７】
ところで、撮影終了時に最後のホワイトバランス補正値を動画のファイル内に、又はカメラ内のメモリに記憶させておき、連続記録モードでの次の撮影時には、前記記憶したホワイトバランス補正値を読み出し、これを撮影開始時のホワイトバランス補正値として使用する。
【００４８】
これにより、つなぎ合わされる前後の動画のホワイトバランス補正値を一致させることができ、スムーズな動画の連結を可能にしている。また、単独記録モードでの撮影開始時に使用される所定の基準値（例えば、自然光のホワイトバランス補正値）に比べて目標値への収束を速くすることができる。
【００４９】
次に、動画撮影時の記録条件の設定方法及び連続記録モード時に使用する既存の動画のファイルの選択方法について説明する。
【００５０】
いま、モード設定ダイヤル１によって連続記録モードを設定し、セットアップボタン（図示せず）を操作すると、図３に示したＲＯＭ（リードオンリーメモリ）５５から画質（クオリティ）、画素数（ピクセル）、及びフレームレートなどの記録条件や連結画を選択するためのセットアップ画面が読み出され、図７又は図８に示すようなセットアップ画面がミクサ５１を介して液晶モニタ５２に表示される。
【００５１】
尚、図７又は図８上で、「新規」に次に表示されている番号は、ファイル番号を示しており、特に「２」、「３」、「７」、「９」は動画のファイル番号を示している。また、図７では「３」のファイル番号の動画が選択され、図８では「新規」のファイルが選択されている場合に関して示している。
【００５２】
連結ファイルとして、図７に示すように既存の動画が選択された場合には、そのファイルの記録条件（圧縮率、画素数、フレームレート）を表示し、その記録条件の再設定を禁止する。この場合、例えば、記録条件にハッチングなどをかけて、記録条件の再設定ができないことが分かりやすいように表示する。
【００５３】
一方、図８に示すように「新規」が選択されると、マルチファンクションの十字キー９を使用してカーソルを移動させることによって圧縮率、画素数、及びフレームレートを自由に選択できる。
【００５４】
尚、単独記録モードで記録された動画のファイル番号と、連続記録モードで記録された動画のファイル番号とを色分け等により区別できるようにしてもよい。また、連続記録モード時に既存のファイルを選択しない場合には、最新の動画のファイルが自動的に選択されるようになっている。
【００５５】
次に、記録媒体に記録された静止画や動画等を再生する場合について説明する。
【００５６】
再生モードによる画像再生には、１コマ再生と、複数コマ（この実施の形態では９コマ）からなるインデックス画像を再生するインデックス再生と、１コマ再生時又はインデックス再生時に動画の１コマが表示された状態で、動画の再生が指示された場合に行われる動画再生とがある。
【００５７】
さて、撮影モード／再生モード切替えレバー６によって再生モードが選択されると、自動的に１コマ再生となり、最後のファイルの１コマが選択され液晶モニタ５２に再生される。また、マルチファンクションの十字キー９を操作することにより、順次コマ送りすることができる。
【００５８】
一方、表示キー５の操作によりインデックス再生が指示されると、図９に示すように９コマからなるインデックス画像が表示される。このインデックス画像上で、十字キー９の上／下キー及び左／右キーで、再生したいコマを選択することができる。尚、選択されたコマは、縁取りがされ、他のコマと区別される。また、インデックス画像の範囲を越えて十字キー３０の上／下キー及び左／右キーが操作されると、インデックス画面が切り換えられる。
【００５９】
また、静止画が記録されたファイルと、単独記録モードで動画が記録されたファイルと、連続記録モードで動画が記録されたファイルとが混在している場合、１コマ再生では、コマ送り時に静止画や動画の１コマとが混在して表示され、同様にインデックス再生では、インデックス画像中に静止画と動画の１コマとが混在して表示されることになる。
【００６０】
そこで、１コマ再生又はインデックス再生時に静止画と動画の１コマとが直観的に区別できるように両者の表示形態を変えて表示するようにしている。
【００６１】
図９は静止画と、単独記録モード及び連続記録モードの動画とを表示形態を変えて表示したインデックス画像を示している。
【００６２】
図９に示す実施の形態では、インデックス画像中において動画の１コマを示す画像（ファイル番号２、３、７、９で示す画像）は、映画のフイルムを連想させるように１コマの左右両端にパーフォレーションが合成された画像として表示され、更に、連続記録モードで記録された動画の１コマには、連結画であることを示す文字「JOINT 」が合成されている。
【００６３】
これにより、インデックス画面上で、静止画、単独記録モードの動画、連続記録モードの動画を識別することができるようになっている。
【００６４】
また、図７又は図８に示したセットアップ画面と上記インデックス画面とをオーバーレイ表示するようにしてもよく、これによれば、連結しようとする動画と、その動画が記録されたファイル番号との対応が分かりやすくなる。
【００６５】
尚、本発明に係るデジタルカメラは、光ディスク等に記録する動画カメラ（ディスクムービー、ＤＶＤムービー）も含む。
【００６６】
【発明の効果】
以上説明したように本発明によれば、同じ場所、シチュエーションなどで繰り返し動画を撮影する場合などに、連続記録モードを設定して撮影することにより、これらの動画を一つのファイルにまとめて記録することができる。また、動画を追加記録するファイルを任意に選択できるようにしたため、ジャンル別に動画のファイルを分類することができ、検索性も優れるという効果がある。
【００６７】
更に、連結する各動画の記録条件を一致させ、また後続の動画のホワイトバランス補正値の初期値として直前の動画のホワイトバランス補正値を使用することにより、動画のつなぎ目も違和感なく連結することができる。
【００６８】
更にまた、動画の１コマ表示を行う場合にも、単独記録モードで記録された動画と、連続記録モードで記録された動画とを区別して表示することができ、これにより所望の動画の選択が容易にできる。
【図面の簡単な説明】
【図１】本発明に係るデジタルカメラの背面図
【図２】図１に示したデジタルカメラの上面に設けられたモード設定ダイヤルの平面図
【図３】図１に示したデジタルカメラの内部構成を示すブロック図
【図４】  AVI ファイルの構造と新規データの追加の様子を示す図
【図５】ＡＥの動作を説明するために用いた図
【図６】ホワイトバランスの補正動作を説明するために用いた図
【図７】連続記録モード時のセットアップ画面の一例を示す図
【図８】連続記録モード時のセットアップ画面の他の一例を示す図
【図９】インデックス画面の一例を示す図
【符号の説明】
１…モード設定ダイヤル、２…シャッタボタン、９…十字キー、１０…撮影レンズ、１２…絞り、１４…固体撮像素子（ＣＣＤ）、２４、３６…メモリ、２６…デジタル信号処理回路、３０…ホワイトバランス調整回路、３８…中央処理装置（ＣＰＵ）、４８…積算回路、５２…液晶モニタ、５４…圧縮／伸長回路、５６…記録部
【図１】
0004048407.tif 000002
【図２】
0004048407.tif 000003
【図３】
0004048407.tif 000004
【図４】
0004048407.tif 000005
【図５】
0004048407.tif 000006
【図６】
0004048407.tif 000007
【図７】
0004048407.tif 000008
【図８】
0004048407.tif 000009
【図９】
0004048407.tif 000010